(57)【要約】【課題】  発光部分が衝撃を受けにくくて破損や故障の発生を少なくでき、発光による注目度と警告効果が高い表示体付傘を提供すること。【解決手段】  制御回路及び電池を有する発光装置２を傘の中棒１０上端に設け、電池を電源とし、制御回路により消灯・点灯及び点滅状態が制御される発光体を発光装置２の周囲に環状に配置し、複数のファイバー式線状照明具２３を傘布１２の表面に設置して発光体に接続し、傘布１２の表面に、電池を電源とし、制御回路により消灯・点灯及び点滅状態が制御される電界発光体を含む表示体２４を設ける。【選択図】          図１
0003103741.tif 000002
【実用新案登録請求の範囲】
【請求項１】
中棒の上部に複数の親骨を放射状に取り付け、これら親骨の表面に傘布を張った傘において、制御回路及び電池を有する発光装置を前記中棒の上端に設置し、前記電池を電源とし、前記制御回路によって消灯・点灯及び点滅状態が制御される発光体を前記発光装置の周囲に環状に配置し、複数のファイバー式線状照明具を前記傘布の表面に設置して前記発光体に接続し、発光体の点灯時にファイバー式線状照明具を発光させ、前記傘布の表面に、前記電池を電源とし、前記制御回路によって消灯・点灯及び点滅状態が制御される電界発光体を含む表示体を設けたことを特徴とする表示体付傘。
【請求項２】
前記発光装置は、筒体とその周囲に張り出したフランジとから成る外殻体を有し、前記制御回路及び電池を前記筒体内に収納し、前記フランジに外部から前記筒体に達する複数の通孔を形成すると共に、通孔の奥端に前記発光体を設置し、前記通孔を通して前記ファイバー式線状照明具と前記発光体とを接続した請求項１に記載の表示体付傘。
【請求項３】
電球と、その電源となる電池と、手動操作により前記電球の点灯・消灯を切り換えるスイッチとを備えた照明装置が、前記中棒の下端に設けられた請求項１又は２に記載の表示体付傘。
【考案の詳細な説明】
【技術分野】
【０００１】
本考案は、発光機能を有する表示体付傘に関する。
【背景技術】
【０００２】
一般的な傘は、雨や日光を遮断する用途に用いられ、これ以外には、僅かに、装飾のために模様を形成したり、自動車に対して注意を引くために色を鮮やかにする程度の機能を有するだけであった。
また、自動車等に対する警告と照明の機能を有して、夜間歩行時の安全性を高めるために、傘の石突部を透明中空とし、その内部にライトを設置した傘が知られている。
しかし、このような一個所に点状の照明を設けた傘では、明るさが不足して十分な警告効果を発揮することができない。
また、ライトの設置位置が石突部先端であるため、使用者が習慣によって石突部を地面について歩行したり、傘を吊り下げて保管している時などに誤って落下させると、衝撃でライトが破損したり故障しやすく、ライトが点灯しないと警告機能を果たすことができない。
【考案の開示】
【考案が解決しようとする課題】
【０００３】
本考案が解決しようとする課題は、発光体が衝撃を受けにくくて破損や故障の発生を少なくでき、発光による注目度と警告効果が高い表示体付傘を提供することにある。
【課題を解決するための手段】
【０００４】
本考案の表示体付傘は、中棒の上部に複数の親骨を放射状に取り付け、これら親骨の表面に傘布を張った傘において、制御回路及び電池を有する発光装置を前記中棒の上端に設置し、前記電池を電源とし、前記制御回路によって消灯・点灯及び点滅状態が制御される発光体を前記発光装置の周囲に環状に配置し、複数のファイバー式線状照明具を前記傘布の表面に設置して前記発光体に接続し、発光体の点灯時にファイバー式線状照明具を発光させ、前記傘布の表面に、前記電池を電源とし、前記制御回路によって消灯・点灯及び点滅状態が制御される電界発光体を含む表示体を設ける。
【０００５】
前記発光装置は、筒体とその周囲に張り出したフランジとから成る外殻体を有し、前記制御回路及び電池を前記筒体内に収納し、前記フランジに外部から前記筒体に達する複数の通孔を形成すると共に、通孔の奥端に前記発光体を設置し、通孔を通して前記ファイバー式線状照明具と前記発光体とを接続しても良い。
電球と、その電源となる電池と、手動操作により前記電球の点灯・消灯を切り換えるスイッチとを備えた照明装置が、前記中棒の下端に設けられることもある。
【考案の効果】
【０００６】
本考案によれば、発光体を発光装置の周囲に環状に配置してあるので、発光体が直接衝撃を受けて破損したり故障するのを防ぐことができ、このため、耐久性が大幅に向上する。
また、傘布に配置された複数のファイバー式線状照明具及び表示体が広い面積で発光するので、注目度と自動車等に対する警告効果が高まって夜間歩行時の安全性が確保され、しかも、表示体は電界発光体を用いているため、消費電力が少なくて済み、明るすぎて周囲に不快感を与える虞もない。
【考案を実施するための最良の形態】
【０００７】
本考案の傘は、図１及び図２に示すように、中棒１０と、中棒１０の上部に放射状に取り付けられた複数の親骨１１と、親骨１１の表面に張られた傘布１２と、中棒１０の上端に設置された発光装置２とを備える。
発光装置２は、筒体２１とフランジ２２とから成る外殻体と、筒体２１内に収納された制御回路２１１及び電池２１２とを有する。
筒体２１の下部には、電池２１２を電源とし、制御回路２１１によって消灯・点灯及び点滅状態が制御される発光体２１３を、筒体２１の外部に露出するように、環状に配置してある。
【０００８】
フランジ２２は、逆皿形をなし、傘布１２の上端表面を被覆している。また、フランジ２２には、外部から筒体２１に達する複数の通孔２２１を形成し、各通孔２２１の奥端に臨んで発光体２１３を配置してある。
傘布１２の表面には、可撓性を有する複数のファイバー式線状照明具２３を親骨１１に沿って設置する。
ファイバー式線状照明具２３はフランジ２２の通孔２２１を通して発光体２１３に接続してあり、制御回路２１１に制御されて発光体２１３が点灯すると、光ファイバーにより光エネルギーが伝達されて線状照明具２３が発光するようになっている。
【０００９】
また、傘布１２の表面には、ＥＬ（ｅｌｅｃｔｒｏｌｕｍｉｎｅｓｃｅｎｔ）シート等の電界発光体を含む図案、文字等の表示体２４を設けてある。表示体２４の電界発光体は発光装置２に接続され、電池２１２を電源とし、制御回路２１１によって消灯・点灯及び点滅状態が制御される。電界発光体は、発光時に発熱しにくいので消費電力が少なくて済み、宣伝効果の高い広告等として利用できる。
なお、発光装置２の筒体２１の上部を透明とし、この透明部分に位置するよう筒体２１の内部に他の発光体２１５を収納しても良い。
他の発光体２１５は、電池２１２を電源とし、制御回路２１１によって消灯・点灯及び点滅状態が制御される。
【００１０】
更に、中棒１０の下端に照明装置３を設けても良い。
照明装置３は、図１に示すように、下部が透明で、中棒１０の下端に取り付けられた筒状容器と、筒状容器の下部に収納された電球３１と、電球３１の上方に収納されてその電源となる電池３２と、筒状容器の側面に露出し、手動操作により電球３１の点灯・消灯を切り換えるスイッチ３３とを備える。
夜間歩行する際等には、スイッチ３３を操作することにより随時電球３１を点灯し、携帯用照明として利用できる。
【００１１】
この表示体付傘を明るい環境で使用する場合には、図３に示すように、発光体２１３及び他の発光体２１５を消し、ファイバー式線状照明具２３及び表示体２４を発光させずに用いることができる。
一方、暗い環境で表示体付傘を用いる場合は、図４に示すように、発光体２１３及び他の発光体２１５を点灯し、ファイバー式線状照明具２３及び表示体２４を発光させて、高い注目度と自動車等に対する警告効果を得ることが可能である。
【図面の簡単な説明】
【００１２】
【図１】本考案の実施例を示す表示体付傘の一部破断側面図。
【図２】図１のＡ部拡大図。
【図３】本考案の実施例を示す表示体付傘の消灯時における側面図。
【図４】本考案の実施例を示す表示体付傘の点灯時における側面図。
【符号の説明】
【００１３】
１０  中棒
１１  親骨
１２  傘布
２  発光装置
２１  筒体
２１１  制御回路
２１２  電池
２１３  発光体
２２  フランジ
２２１  通孔
２３  ファイバー式線状照明具
２４  表示体
３  照明装置
３１  電球
３２  電池
３３  スイッチ
【図１】
0003103741.tif 000003
【図２】
0003103741.tif 000004
【図３】
0003103741.tif 000005
【図４】
0003103741.tif 000006